(57)【特許請求の範囲】
【請求項１】
経時的に周波数が変化するスイープ音フレーズを有する警報音の発信方法において、
周波数の変化範囲が異なる複数のスイープ音フレーズを有し、これら複数のスイープ音フレーズを所定順に並べたセットを繰り返すように設定し、
異なったスイープ音フレーズにおけるそれぞれのオン時間を一定とし、異なったスイープ音フレーズを一定のオフ時間を挟んで設定してある警報音の発信方法。
【請求項２】
各スイープ音フレーズにおいて、周波数の変化割合を一定とした請求項１に記載の警報音の発信方法。
【請求項３】
高音域である３．８〜４．２ＫＨｚの範囲で変化するスイープ音フレーズと、低音域から高音域まで含んだ１．０〜４．２ＫＨｚの範囲で変化するスイープ音フレーズを有する請求項１または２に記載の警報音の発信方法。
【請求項４】
前記オン時間を１００〜２５０ｍｓとし、前記オフ時間を２５０〜４００ｍｓとしてある請求項１〜３の何れか一項に記載の警報音の発信方法。
【発明の詳細な説明】
【技術分野】
【０００１】
本発明は、経時的に周波数が変化するスイープ音フレーズを有する警報音の発信方法に関する。
【背景技術】
【０００２】
ガス漏れや火災などの災害の危険があるとき、警報器が発した警報に従って避難する人は少ない傾向がある。この一因としては、警報が発せられても、緊張感や危機感を持たない人が多いことが考えられる。そこで避難率向上のためには、警報器が、より多くの人が緊張感や危機感を直感的に感じることができる警報音を発することが望ましい。
【０００３】
警報器が発信する警報音としては、例えばスイープ音を含むものが使用されている（特許文献１，２）。
【０００４】
スイープ音は経時的に周波数が変化する音であり、「騒音下で認識し易い」および「緊張感や危機感を伝える信号だと認知され易い」という、警報音として望ましい性質を備えている。
【先行技術文献】
【特許文献】
【０００５】
【特許文献１】特開２０１１−００３１６５号公報
【特許文献２】特開２０１０−０４９６０４号公報
【発明の概要】
【発明が解決しようとする課題】
【０００６】
例えば高齢者と若年者とでは耳が感知しやすい音の周波数帯域が異なっている。上述したスイープ音を発信するに際し、より多くの人に警報を効率よく伝達できるように設定できれば、より望ましい。
【０００７】
従って、本発明の目的は、より多くの人に警報を効率よく伝達できる警報音の発信方法を提供することにある。
【課題を解決するための手段】
【０００８】
上記目的を達成するための本発明に係る警報音の発信方法は、経時的に周波数が変化するスイープ音フレーズを有する警報音の発信方法において、その第一特徴手段は、周波数の変化範囲が異なる複数のスイープ音フレーズを有し、これら複数のスイープ音フレーズを所定順に並べたセットを繰り返すように設定し、異なったスイープ音フレーズにおけるそれぞれのオン時間を一定とし、異なったスイープ音フレーズを一定のオフ時間を挟んで設定した点にある。
【０００９】
本手段によれば、周波数の変化範囲が異なった音調の異なるスイープ音を複数有してこれらを繰り返し、異なったスイープ音フレーズにおけるそれぞれのオン時間を一定とすることで、注意を引き付け易くできる警報音を発信することができる。また、周波数の変化割合が異なる複数のスイープ音フレーズを有することで、例えば低音域から高音域まで含んだスイープ音フレーズを発信させることができる。これにより、高齢者および若年者といった年齢層などにかかわらず、多数の人に認識し易いスイープ音を発信させることができる。また、異なったスイープ音フレーズを一定のオフ時間を挟んで設定することで、緊張感を持たせたスイープ音を鳴動させることができるようになるため、警報音の認識程度がより向上する。
【００１０】
本発明に係る警報音の発信方法の第二特徴手段は、各スイープ音フレーズにおいて、周波数の変化割合を一定とした点にある。
【００１１】
本手段によれば、周波数の変化範囲において、低音域から高音域まで聞き取りやすくなり、より多数の人に認識し易いスイープ音を発信させることができる。
【００１２】
本発明に係る警報音の発信方法の第三特徴手段は、高音域である３．８〜４．２ＫＨｚの範囲で変化するスイープ音フレーズと、低音域から高音域まで含んだ１．０〜４．２ＫＨｚの範囲で変化するスイープ音フレーズを有した点にある。
本手段によれば、高齢者および若年者といった年齢層などにかかわらず、多数の人に認識し易いスイープ音を発信させることができる。
【００１３】
本発明に係る警報音の発信方法の第四特徴手段は、前記オン時間を１００〜２５０ｍｓとし、前記オフ時間を２５０〜４００ｍｓとした点にある。
本手段によれば、緊張感を持たせたスイープ音を認識できるオン時間およびオフ時間を設定することができる。
【図面の簡単な説明】
【００１４】
【図１】スイープ音サイクルの例を示した図である（実施例１−１）。
【図２】スイープ音サイクルの例を示した図である（実施例１−２）。
【図３】スイープ音サイクルの例を示した図である（実施例１−３）。
【図４】スイープ音サイクルの例を示した図である（実施例２−１）。
【発明を実施するための形態】
【００１５】
以下、本発明の実施形態を図面に基づいて説明する。
本発明の警報音の発信方法は、経時的に周波数が変化するスイープ音フレーズを有する警報音において、周波数の変化範囲が異なる複数のスイープ音フレーズを有し、これら複数のスイープ音フレーズを所定順に並べたセットを繰り返すように設定する。
【００１６】
スイープ音は、所定の周波数の範囲内で経時的に周波数が変化する音である。
例えば高齢者と若年者とでは耳が感知しやすい音の周波数帯域が異なっている。警報音は、できるだけ多くの人に認識できる音を発信する必要がある。本手段のスイープ音フレーズは、周波数の変化範囲が異なるフレーズを複数有するように構成してある。これにより、音調の異なるスイープ音を発信させることができる。
例えば図１では、周波数が１．０〜４．２ＫＨｚおよび３．８〜４．２ＫＨｚの範囲で変化する、最低周波数を異ならせた二種類のスイープ音フレーズを有するスイープ音のデューティーサイクルを示している。この場合、相対的に、３．８〜４．２ＫＨｚの範囲で変化するスイープ音フレーズは高音域のみの発信であるが、１．０〜４．２ＫＨｚの範囲で変化するスイープ音フレーズは低音域から高音域まで含んだ発信となる。
【００１７】
本手段のように、周波数の変化範囲が異なった音調の異なるスイープ音を複数有し、これらを繰り返すことで、注意を引き付け易くできる警報音を発信することができる。また、低音域から高音域まで含んだスイープ音フレーズを発信させることで、高齢者および若年者といった年齢層などにかかわらず、多数の人に認識し易いスイープ音を発信させることができる。
【００１８】
また、各スイープ音フレーズは、周波数の変化割合を一定にするのがよい。「周波数の変化割合を一定にする」とは、周波数を変化させる際に、周波数の変化範囲（最低周波数〜最高周波数）において一定の変化割合（傾き）を有するようにすることをいう。
このように各スイープ音フレーズの周波数の変化割合を一定にすることで、周波数の変化範囲において、低音域から高音域まで聞き取りやすくなり、より多数の人に認識し易いスイープ音を発信させることができる。
【００１９】
さらに、異なったスイープ音フレーズを、所定のオフ時間を挟んで設定するのがよい。これにより、緊張感を持たせたスイープ音を鳴動させることができるようになるため、警報音の認識程度がより向上する。本手段の場合、当該オフ時間の長さを変更してもよく、例えば、緊張感を増すために当該オフ時間の長さを短く設定してもよい。
【実施例】
【００２０】
〔実施例１〕
周波数の変化範囲が異なる複数のスイープ音フレーズを有し、これら複数のスイープ音フレーズを所定順に並べたセットを繰り返す場合について、スイープ音サイクルの例を図１〜３に示した。警報機はＸＨ−６２２Ｇ（新コスモス電機株式会社）を用いた。
図１（実施例１−１）では、二種類のスイープ音フレーズを設定し、第一スイープ音フレーズの周波数を３．８〜４．２ＫＨｚにスイープさせ、第二スイープ音フレーズの周波数を１．０〜４．２ＫＨｚにスイープさせた。スイープ音サイクルは、オン時間４００ｍｓ、オフ時間１００ｍｓに設定した。
【００２１】
本実施例１−１では、それぞれのスイープ音フレーズにおいて、周波数の変化割合を一定にしてある。
これにより、周波数の変化範囲において、低音域から高音域まで聞き取りやすくなり、より多数の人に認識し易いスイープ音を発信させることができる。
【００２２】
また、本実施例１−１では、異なったスイープ音フレーズを、所定のオフ時間を挟んで設定してある。
これにより、緊張感を持たせたスイープ音を鳴動させることができるようになるため、警報音の認識程度がより向上する。
【００２３】
上述した実施例１−１のように二種類のスイープ音フレーズを設定した場合、例えば、スイープ音サイクルを、オン時間１００ｍｓ、オフ時間４００ｍｓに設定（実施例１−２：図２）、或いは、オン時間２５０ｍｓ、オフ時間２５０ｍｓに設定（実施例１−３：図３）してもよい。
【００２４】
〔実施例２〕
上述した実施例では、二種類のスイープ音フレーズの間に所定のオフ時間を挟んで設定したが、二種類のスイープ音フレーズを、オフ時間を挟まないように設定してもよい（実施例２−１：図４）。実施例２−１では、各スイープ音フレーズを５００ｍｓに設定した。
【００２５】
〔実施例３〕
上述した実施例では、二種類のスイープ音フレーズを設定したが、これに限られるものではなく、三種類以上のスイープ音フレーズを設定してもよい。スイープ音フレーズを増やすことで、バラエティーに富んだ警報音を発信することができるため、警報音の認識程度がより向上する。また、スイープ音フレーズを増やすことで、人に与える危機感を段階的に分類し易くなり、災害の程度を認識させ易くなる。
【産業上の利用可能性】
【００２６】
本発明は、経時的に周波数が変化するスイープ音フレーズを有する警報音の発信方法に利用できる。
【図１】
0005953609.tif 000002
【図２】
0005953609.tif 000003
【図３】
0005953609.tif 000004
【図４】
0005953609.tif 000005